(57)【要約】【課題】放射線画像検出器本体の放電破壊を招くことなく、周囲の雰囲気からの水分吸収を阻止する。【解決手段】密閉空間内に放射線画像検出器本体２０を配置するとともに、放射線画像検出器本体２０および放射線画像検出器本体に電圧を供給する電線２１と放電が起きない程度の距離を空けて乾燥剤５０を配置する。【選択図】図２
2009008403.tif 000002
【特許請求の範囲】
【請求項１】
放射線の照射を受けて電荷を発生する電荷発生層を有する放射線画像検出器本体と、該放射線画像検出器本体に電圧を供給する電線と、密閉空間を形成し、該密閉空間内に前記放射線画像検出器本体が配置される筐体とを備えた放射線画像検出器において、
前記密閉空間内に前記放射線画像検出器本体および前記電線と放電が起きない程度の距離を空けて乾燥剤または調湿剤が配置されていることを特徴とする放射線画像検出器。
【請求項２】
前記放射線画像検出器本体の側面と前記筐体との間に空間を空けて形成された気道部を有し、該気道部が前記乾燥剤または前記調湿剤が配置された空間と通気していることを特徴とする請求項１記載の放射線画像検出器。
【請求項３】
前記筐体における前記放射線画像検出器に放射線が照射される側の面が、ポリマーフイルムでラミネートされたアルミニウム箔であることを特徴とする請求項１または２記載の放射線画像検出器。
【発明の詳細な説明】
【技術分野】
【０００１】
本発明は、放射線画像検出器に関するものであり、特にその防湿構造に関するものである。
【背景技術】
【０００２】
従来、医療分野などにおいて、被写体を透過した放射線を検出し、被写体に関する放射線画像を記録する放射線画像検出器が各種提案、実用化されている。
【０００３】
上記のような放射線画像検出器として、たとえば、放射線の照射を受けて蛍光を発するシンチレータとシンチレータから発せられた蛍光を検出する光検出器とからなる、いわゆる間接変換型の放射線画像検出器が提案されている。
【０００４】
そして、上記のような間接変換型の放射線画像検出器におけるシンチレータは、水分を吸収して発光特性が劣化してしまうため、水分吸収から保護する必要がある。
【０００５】
そこで、たとえば、特許文献１においては、シンチレータの側壁を囲む包囲リングとシンチレータの表面に張りわたされた包囲リングカバーとでシンチレータを密閉し、その密閉された空間内に乾燥剤を設けることが提案されている。
【０００６】
また、放射線画像検出器が、放射線の照射を受けて電荷を発生する光導電層を有し、該光導電層に高電圧が印加されるいわゆる直接変換型の放射線画像検出器である場合においても、光導電層はａ−Ｓｅにより形成され、ａ−Ｓｅは水分吸収によって結晶化してその特性が劣化するため、周囲の雰囲気からの水分吸収を阻止する必要がある。
【特許文献１】特開平５−２４２８４１号公報
【発明の開示】
【発明が解決しようとする課題】
【０００７】
しかしながら、特許文献１に記載の放射線画像検出器のように、乾燥剤を放射線画像検出器周囲近傍に設けるようにしたのでは、直接変換型の放射線画像検出器においては放射線画像の記録の際、高電圧が印加されるため、画像検出器と乾燥剤との間で放電が生じ、放射線画像検出器が放電破壊してしまうおそれがある。
【０００８】
本発明は、上記の事情に鑑み、上記のような放電破壊を招くことなく、周囲の雰囲気からの水分吸収を阻止することができる放射線画像検出器を提供することを目的とする。
【課題を解決するための手段】
【０００９】
本発明の放射線画像検出器は、放射線の照射を受けて電荷を発生する電荷発生層を有する放射線画像検出器本体と、放射線画像検出器本体に電圧を供給する電線と、密閉空間を形成し、密閉空間内に放射線画像検出器本体が配置される筐体とを備えた放射線画像検出器において、上記密閉空間内に放射線画像検出器本体および電線と放電が起きない程度の距離を空けて乾燥剤または調湿剤が配置されていることを特徴とする。
【００１０】
また、上記本発明の放射線画像検出器においては、放射線画像検出器本体の側面と筐体との間に空間を空けて形成された気道部を有するものとし、その気道部が乾燥剤または調湿剤が配置された空間と通気するようにすることができる。
【００１１】
また、筐体における放射線画像検出器に放射線が照射される側の面を、ポリマーフイルムでラミネートされたアルミニウム箔とすることができる。
【発明の効果】
【００１２】
本発明の放射線画像検出器によれば、放射線画像検出器本体および電線と乾燥剤または調湿剤とを、放電が起きない程度の距離を空けて配置するようにしたので、放射線画像検出器本体と乾燥剤等との間で放電が生じ、放射線画像検出器本体が放電破壊してしまうのを回避することができる。
【００１３】
また、上記本発明の放射線画像検出器において、放射線画像検出器本体の側面と筐体との間に気道部を形成し、その気道部が乾燥剤または調湿剤が配置された空間と通気するようにするようにした場合には、乾燥剤または調湿剤の効果を拡散によって放射線画像検出器本体の周辺にまで及ぼすようにすることができる。
【００１４】
また、放射線画像検出器に放射線が照射される側の面を、ポリマーフイルムでラミネートされたアルミニウム箔とした場合には、筐体内の防湿効果をより向上することができる。
【発明を実施するための最良の形態】
【００１５】
以下、図面を参照して本発明の放射線画像検出器の一実施形態について説明する。図１は、放射線画像検出器の斜視図、図２は図１に示す放射線画像検出器の上面図である。
【００１６】
本実施形態の放射線画像検出器は、図１および図２に示すように、ガラス基板１０と、ガラス基板１０上に載置された放射線画像検出器本体２０と、放射線画像検出器本体２０に電圧を供給する電線２１と、放射線画像検出器本体２０の４辺を囲むように設けられたリブ部材３０と、リブ部材３０の上面にはりわたされた保護カバー４０と、ガラス基板１０とリブ部材３０と保護カバー４０とにより形成された密閉空間内に配置された乾燥剤シート５０とを備えている。
【００１７】
リブ部材３０は、防湿性を有する材料により形成されており、たとえば、ガラスやプラスチックなどにより形成するようにすればよい。そして、リブ部材３０の高さｈは、リブ部材３０と放射線画像検出器本体２０の上面に保護カバー４０を貼り付けた際に、しわによる穴あきが生じない程度の高さであることが望ましく、放射線画像検出器本体２０の高さの±３０％程度の高さで形成することが望ましい。より望ましくは放射線画像検出器本体２０と等しい厚さである。また、リブ部材１３は、1本の枠体として形成するようにしてもよいし、４本の直方体のリブ部材を組み合わせて枠体を形成するようにしてもよい。
【００１８】
保護カバー４０は、防湿性フイルムであり、４０℃９０％ＲＨの条件下で測定された透湿度が０．２ｇ・２５μｍ／ｍ２・２４ｈｒ以下のもののなかから任意に選択される。このような防湿フイルムの例としては、ポリエチレンテレフタレートフイルムに酸化珪素または酸化アルミニウムを蒸着してなるフイルムや、アルミニウム箔の両面にポリマーフイルムをラミネートしてなるものを用いることができる。ここでアルミニウム箔とラミネートされるポリマーフイルムとしては、ポリエチレンテテフタレート、ナイロン、ポリエチレン、ポリプロピレン等の材料を用いることが出来る。
【００１９】
また、本実施形態の放射線画像検出器は、保護カバー４０側から放射線が照射されるものである。したがって、保護カバー４０は放射線を透過する材料から形成される。
【００２０】
保護カバー４０は、図１に示すように、リブ部材３０の上面および放射線画像検出器本体２０の上面に沿って貼り付けられている。保護カバー４０は、放射線画像検出器本体２０の上面にパリレン膜をＣＶＤにより形成し、その膜上に低粘度のエポキシ接着剤を塗布するとともに、リブ部材３０の上面に高粘度のエポキシ接着剤を塗布した後、貼り付けられる。上記のように放射線画像検出器本体２０の上面に低粘度のエポキシ接着剤を塗布するようにすれば、放射線画像検出器本体２０の上面に均一の接着剤を広げることができる。また、上記のようにリブ部材３０の上面に高粘度のエポキシ接着剤を塗布するようにすれば、リブ部材３０と保護カバー４０との間に隙間なく接着することができ、接着剤がはみ出すことなく強固に接着することができる。
【００２１】
なお、本実施形態の放射線画像検出器においては、放射線画像検出器本体２０と保護カバー４０とを接着剤により接着するようにしたが、これに限らず、たとえば、放射線画像検出器本体２０の上面と保護カバー４０とを密着させるようにしてもよい。放射線画像検出器本体２０の上面と保護カバー４０とを密着させる方法としては、たとえば、ガラス基板１０とリブ部材３０と保護カバー４０とで形成される空間を減圧することによって密着させるようにしてもよいし、放射線画像検出器本体２０と保護カバー４０との間に密着シートを設けて密着するようにしてもよい。
【００２２】
上述したようにガラス基板１０とリブ部材３０と保護カバー４０とで密閉空間が形成されており、その密閉空間内に放射線画像検出器本体２０と乾燥剤シート５０とが配置されている。そして、図２に示すように、乾燥剤シート５０は、放射線画像検出器本体２０と放電が生じない程度の距離ｄ１を空けて配置されている。また、乾燥剤シート５０は、電線とも放電が生じない距離ｄ２を空けて配置されている。なお、本実施形態の放射線画像検出器においては、乾燥剤シート５０を用いるようにしたが、調湿剤を用いるようにしてもよい。
【００２３】
必要な距離ｄ１およびｄ２の値は、放射線画像検出器本体２０に印加する電圧にもより、また接地配線との関係にもよるが、通常２ｍｍ以上、好ましくは５ｍｍ以上である。上限には制約はないが、実質上は放射線画像検出器全体の設計上の大きさで制限される。本実施形態においては、ｄ１＝５ｍｍ、ｄ２＝１５０ｍｍを採用している。
【００２４】
また、図２に示すように、放射線画像検出器本体２０の側面とリブ部材３０との間は、空間が空けられており、気道部６０が形成されている。そして、この気道部６０は乾燥剤シート５０が配置された空間と通気しており、乾燥剤シート５０の効果が拡散により放射線画像検出器本体２０の周辺の空気にまでわたるようになっている。
【００２５】
次に、放射線画像検出器本体２０の一例について説明する。図３は、放射線画像検出器２０の一部の斜視図、図４は、図３に示す放射線画像検出器２０の４−４線断面図である。
【００２６】
放射線画像検出部２０は、図３に示すように、放射線画像を担持した放射線を透過する第１の電極層１、第１の電極層１を透過した放射線の照射を受けることにより電荷を発生する記録用光導電層２、記録用光導電層２において発生した電荷のうち一方の極性の電荷に対しては絶縁体として作用し、且つ他方の極性の電荷に対しては導電体として作用する電荷輸送層３、読取光の照射を受けることにより電荷を発生する読取用光導電層４、および第２の電極層５をこの順に積層してなるものである。記録用光導電層２と電荷輸送層３との界面近傍には、記録用光導電層２内で発生した電荷を蓄積する蓄電部６が形成される。なお、第１の電極層１側が上面、第２の電極層５側が下面としてガラス基板１０上に配置される。
【００２７】
第１の電極層１としては、放射線を透過するものであればよく、たとえば、ネサ皮膜（ＳｎＯ2）、ＩＴＯ（Indium Tin Oxide）、アモルファス状光透過性酸化膜であるＩＤＩＸＯ（Idemitsu Indium X-metal Oxide ；出光興産（株））などを５０〜２００ｎｍ厚にして用いることができ、また、１００ｎｍ厚のＡｌやＡｕなども用いることもできる。
【００２８】
第２の電極層５は、読取光を透過する複数の透明線状電極７と読取光を遮光する複数の遮光線状電極８とを有するものである。そして、透明線状電極７と遮光線状電極８とは、図４に示すように、所定の間隔を空けて交互に平行に配列されている。
【００２９】
透明線状電極７は読取光を透過するとともに、導電性を有する材料から形成されている。上記のような材料であれば如何なるものでもよいが、たとえば、第１の電極層１と同様に、ＩＴＯやＩＤＩＸＯを用いることができる。また、Ａｌ、Ｃｒなどの金属を用いて読取光を透過する程度の厚さ（たとえば、１０ｎｍ程度）で形成するようにしてもよい。
【００３０】
遮光線状電極８は読取光を遮光し、導電性を有する材料から形成されている。上記のような材料であれば如何なるものでもよいが、たとえば、Ａｌ、Ｃｒなどの金属を用いることができる。
【００３１】
記録用光導電層２は、放射線の照射を受けることにより電荷を発生するものであればよく、放射線に対して比較的量子効率が高く、また暗抵抗が高いなどの点で優れているａ−Ｓｅを主成分とするものを使用する。厚さは５００μｍ程度が適切である。
【００３２】
電荷輸送層３としては、たとえば、放射線画像の記録の際に第１の電極層１に帯電する電荷の移動度と、その逆極性となる電荷の移動度の差が大きい程良く（例えば１０２以上、望ましくは１０３以上）ポリＮ−ビニルカルバゾール（ＰＶＫ）、N,N'−ジフェニル−N,N'−ビス（３−メチルフェニル）−〔1,1'−ビフェニル〕−4,4'−ジアミン（ＴＰＤ）やディスコティック液晶等の有機系化合物、或いはＴＰＤのポリマー（ポリカーボネート、ポリスチレン、ＰＶＫ）分散物，Ｃｌを１０〜２００ｐｐｍドープしたａ−Ｓｅ、Ａｓ２Ｓｅ３等の半導体物質が適当である。
【００３３】
読取用光導電層４としては、読取光および消去光の照射を受けることにより導電性を呈するものであればよく、例えば、ａ−Ｓｅ、Ｓｅ−Ｔｅ、Ｓｅ−Ａｓ−Ｔｅ、無金属フタロシアニン、金属フタロシアニン、ＭｇＰｃ（Magnesium phtalocyanine），ＶｏＰｃ（phaseII of Vanadyl phthalocyanine）、ＣｕＰｃ（Cupper phtalocyanine）などのうち少なくとも１つを主成分とする光導電性物質が好適である。厚さは０．１〜１μｍ程度が適切である。
【００３４】
なお、上記実施形態の放射線画像検出器においては、放射線画像検出器本体２０として、いわゆる光読取方式の放射線画像検出器本体を利用するようにしたが、ＴＦＴが２次元状に配列された、いわゆるＴＦＴ読取方式の放射線画像検出器本体を利用するようにしてもよい。
【００３５】
また、上記実施形態の放射線画像検出器においては、リブ部材３０が放射線画像検出器本体２０の４辺を囲むようにしたが、これに限らず、たとえば、図５に示すように、放射線画像検出器本体２０の３辺にのみリブ部材３０を設けるようにしてもよい。そして、リブ部材３０の上面と放射線画像検出器本体２０の上面とに保護カバー４０を貼るようにしてもよい。そして、リブ部材３０が設けられていない一辺側については、図６に示すように、保護カバー４０を放射線画像検出器本体２０の側面に沿って折り曲げて放射線画像検出器本体２０の側面とガラス基板１０の側面とに貼り付け、さらに、ガラス基板１０の下面側に折り曲げて貼り付けるようにすればよい。なお、図６は、図５の６−６線断面図である。また、図５に示すような構成においても、乾燥剤シート５０は、放射線画像検出器本体２０と放電が生じない程度の距離ｄ１を空けて配置され、また、電線とも放電が生じない距離ｄ２を空けて配置されている。また、図５に示すような構成にした場合には、リブ部材３０が設けられていない1辺については放射線画像検出器の縁部まで放射線画像の撮像が可能となるので、胸部に放射線画像検出器の縁部を当接させて撮影を行なう乳房撮影用の放射線画像検出器として適している。
【００３６】
また、図６に示すように、保護カバー４０をガラス基板１０の下面側に折り曲げることなく、図７に示すように、放射線画像検出器本体２０の側面とガラス基板１０の側面とにだけ保護カバー４０を貼り付けるようにしてもよい。
【図面の簡単な説明】
【００３７】
【図１】本発明の放射線画像検出器の一実施形態を示す斜視図
【図２】図１に示す放射線画像検出器の上面図
【図３】放射線画像検出器本体の概略構成を示す図
【図４】図３に示す放射線画像検出器本体の４−４線断面図
【図５】本発明の放射線画像検出器のその他の実施形態を示す平面図
【図６】図５に示す放射線画像検出器の６−６線断面図
【図７】本発明の放射線画像検出器のその他の実施形態を示す断面図
【符号の説明】
【００３８】
１０  ガラス基板
２０  放射線画像検出器本体
２１  電線
３０  リブ部材
４０  保護カバー
５０  乾燥剤シート
６０  気道部
【図１】
2009008403.tif 000003
【図２】
2009008403.tif 000004
【図３】
2009008403.tif 000005
【図４】
2009008403.tif 000006
【図５】
2009008403.tif 000007
【図６】
2009008403.tif 000008
【図７】
2009008403.tif 000009